(57)【要約】【課題】ヒンジキャップ型の液体容器用キャップにおいて、ノズル部を閉止するための栓部の強度低下を伴うことなく、ノズル部から液体が出過ぎることを抑制できるようにする。【解決手段】液体容器用キャップ１４は、容器本体に固定され、かつ液体注出用のノズル部２２を備えるキャップ本体１６と、ノズル部２２を覆う閉止位置とこの位置から外側に展開した開放位置とに亘って変位可能な蓋体１８とを備える。ノズル部２２は、液体注出用の通路３２を有し、蓋体１８は、閉止位置にある状態で前記通路３２に嵌入されて当該通路３２を塞ぐ栓部４４を備える。ノズル部２２の通路３２は、蓋体１８の栓部４４を嵌入させることが可能な内径を有する第１通路部３３ａと、この第１通路部３３ａよりも奥側に位置し、第１通路部３３ａよりも内径が小さい第２通路部３３ｂとを含む。【選択図】図４
2012188128.tif 000002
【特許請求の範囲】
【請求項１】
上向きに開口する容器本体に装着されることにより、当該容器本体と共に液体を収容するための液体用容器を構成する液体容器用キャップであって、
液体注出用のノズル部を備える天壁部およびこの天壁部から垂下する筒状の側壁部を有し、前記天壁部が前記開口を塞ぐように前記容器本体の上端部に外嵌されることで当該容器本体に固定されるキャップ本体と、
前記ノズル部を覆うことが可能な形状を有しかつ前記天壁部に重なる閉止位置とこの閉止位置から外側に展開して前記ノズル部を開放する開放位置とに亘って変位可能となるように前記キャップ本体に連結される蓋体と、を備え、
前記ノズル部は、その内部に液体導出用の通路を有し、
前記蓋体は、前記閉止位置に配置されることにより前記ノズル部の通路に嵌入されて当該通路を塞ぐ栓部を備えており、
前記ノズル部の通路は、前記ノズル部の先端側に位置し、前記蓋体の栓部が嵌入することが可能な内径を有する第１通路部と、この第１通路部よりも奥側に位置し、前記第１通路部よりも内径の小さい第２通路部とを含むことを特徴とする液体容器用キャップ。
【請求項２】
請求項１に記載の液体容器用キャップにおいて、
前記ノズル部は、その特定位置に基端部側の外形寸法よりも大きな外形寸法をもつ鍔部を備えていることを特徴とする液体容器用キャップ。
【請求項３】
請求項２に記載の液体容器用キャップにおいて、
前記ノズル部は、その先端に前記鍔部を備えていることを特徴とする液体容器用キャップ。
【請求項４】
請求項２又は３に記載の液体容器用キャップにおいて、
前記蓋体は、前記栓部の周囲に位置する拘束部を備え、この拘束部は、前記蓋体が前記閉止位置に配置されたときに、前記ノズル部の鍔部に対してその外側から当接することにより前記蓋体と前記ノズル部との前記天壁部に沿った方向への相対変位を阻止することを特徴とする液体容器用キャップ。
【請求項５】
請求項４に記載の液体容器用キャップにおいて、
前記拘束部は、内向きに突出する係止部を備え、前記開放位置から閉止位置への前記蓋体の変位に伴い前記係止部が前記鍔部の位置を通過する際に径方向外側に弾性変形し、前記蓋体が前記閉止位置に達すると弾性復帰して前記係止部が前記鍔部に係合するように形成されていることを特徴とする液体容器用キャップ。
【請求項６】
上向きに開口する容器本体とこの容器本体の上端部に装着されるキャップとを備える液体用容器であって、
前記キャップとして請求項１乃至５の何れか一項に記載の液体容器用キャップを備えていることを特徴とする液体用容器。
【発明の詳細な説明】
【技術分野】
【０００１】
本発明は、化粧液等を収容するための液体用容器に適した液体容器用キャップおよびこの液体容器用キャップを備える液体用容器に関するものである。
【背景技術】
【０００２】
化粧液等の液体を収容するための液体用容器として、例えば特許文献１に記載されたものが公知である。この液体用容器は、上部開口を有する有底の容器本体と、この容器本体の上端部に装着されるヒンジキャップ（液体容器用キャップ）とを備える。
【０００３】
前記ヒンジキャップは、化粧液の注ぎ口となるノズル部を備えかつ前記容器本体の上端部に固定されるキャップ本体と、前記キャップ本体にヒンジを介して連結される蓋体とを備えている。蓋体は、ノズル部を覆う閉止位置とこの位置から外側に展開した開放位置とに変位可能であり、前記閉止位置に配置されることで、当該蓋体が備える栓部がノズル部の開口に嵌入されて当該ノズル部を閉止する。従って、化粧液を使用する際には、ヒンジキャップの蓋体を開放位置に展開し、容器全体を傾けて化粧液をノズル部から注出する。
【先行技術文献】
【特許文献】
【０００４】
【特許文献１】実用新案登録第３１６０９８１号公報
【発明の概要】
【発明が解決しようとする課題】
【０００５】
上記のような液体用容器は、その傾きに応じて適量の化粧液が注出されるのが好ましい。従って、化粧水のように流動性に富んだ化粧液を収容する容器については、乳液等、比較的粘度の高い化粧液を収容するものに比べてノズル部の孔径を小さく形成し、これにより、容器を大きく傾けても化粧液が出過ぎることがないようにする必要がある。
【０００６】
ところが、ノズル部の孔径を小さくすると、これを閉止するための蓋体側の栓部もその分細くする必要があり、栓部の強度を確保することが難しくなる。そのため、蓋体の開閉操作中に栓部が変形し、あるいは折れるといった弊害をもたらすおそれがある。
【０００７】
本発明は、このような事情に鑑みて成されたものであり、いわゆるヒンジキャップ型の液体容器用キャップにおいて、ノズル部を閉止するための栓部の強度低下を伴うことなく、液体の注出量を抑制できるようにすることを目的とする。
【課題を解決するための手段】
【０００８】
上記課題を解決するために、本発明は、上向きに開口する容器本体に装着されることにより、当該容器本体と共に液体を収容するための液体用容器を構成する液体容器用キャップであって、液体注出用のノズル部を備える天壁部およびこの天壁部から垂下する筒状の側壁部を有し、前記天壁部が前記開口を塞ぐように前記容器本体の上端部に外嵌されることで当該容器本体に固定されるキャップ本体と、前記ノズル部を覆うことが可能な形状を有しかつ前記天壁部に重なる閉止位置とこの閉止位置から外側に展開して前記ノズル部を開放する開放位置とに亘って変位可能となるように前記キャップ本体に連結される蓋体と、を備え、前記ノズル部は、その内部に液体導出用の通路を有し、前記蓋体は、前記閉止位置に配置されることにより前記ノズル部の通路に嵌入されて当該通路を塞ぐ栓部を備えており、前記ノズル部の通路は、前記ノズル部の先端側に位置し、前記蓋体の栓部が嵌入することが可能な内径を有する第１通路部と、この第１通路部よりも奥側に位置し、前記第１通路部よりも内径の小さい第２通路部とを含むものである。
【０００９】
また、本発明は、上向きに開口する容器本体とこの容器本体の上端部に装着されるキャップとを備える液体用容器であって、前記キャップとして上述のような液体容器用キャップを備えているものである。
【００１０】
上記の液体容器用キャップおよび液体用容器によれば、液体注出用のノズル部の通路が、蓋体の栓部が嵌入することが可能な内径を有する第１通路部と、この第１通路部よりも奥側に位置し、第１通路部よりも内径の小さい第２通路部とを含むため、第２通路部の内径に応じた量の液体を導出させながら、この第２通路部の内径よりも大きな外径をもつ栓部よって当該ノズル部の通路を塞ぐことができる。従って、第２通路部で液体の導出量を抑えて当該液体が出過ぎることを防止するようにしながら、その一方で、栓部の必要径を確保してその強度を保つことが可能となる。
【００１１】
なお、上記の液体容器用キャップにおいて、前記ノズル部は、その特定位置に、基端部側の外形寸法よりも大きな外形寸法をもつ鍔部を備えているのが好適である。この構成によれば、容器を傾けた際、鍔部の位置で液体が流下することとなり、ノズル部を伝って当該鍔部の位置より基端部側（天壁部の表面側）へ液体が流れることが阻止される。つまり、鍔部の位置で良好に液切りが行われる。そのため、ノズル部から注出される液体が当該ノズル部を伝ってキャップ本体や容器本体を汚すことを防止することが、可能であり、流動性に富んだ液体を収容する場合には特に有用である。なお、この場合、ノズル部の先端に前記鍔部が備えられている構成によれば、ノズル部の先端で液切りが行われるためより効果的である。
【００１２】
また、上記の液体容器用キャップにおいて、前記蓋体は、前記栓部の周囲に位置する拘束部を備え、この拘束部は、前記蓋体が前記閉止位置に配置されたときに、前記ノズル部の鍔部に対してその外側から当接することにより前記蓋体と前記ノズル部との前記天壁部に沿った方向への相対変位を阻止するものであるのが好適である。
【００１３】
この構成によれば、閉止位置に蓋体が配置された状態、すなわち、栓部がノズル部の前記通路に嵌入された状態で当該蓋体に外力（天壁部に沿った方向の外力）が作用した場合に、前記栓部に剪断力が作用することを抑制することが可能となる。そのため、当該剪断力により栓部が変形等することを有効に防止することが可能となる。
【００１４】
この場合、前記拘束部は、内向きに突出する係止部を備え、前記開放位置から閉止位置への前記蓋体の変位に伴い前記係止部が前記鍔部の位置を通過する際に径方向外側に弾性変形し、前記蓋体が前記閉止位置に達すると弾性復帰して前記係止部が前記鍔部に係合するように形成されているのが好適である。この構成によれば、蓋体を閉止位置に配置した状態を安定的に保つことが可能となる。しかも、蓋体を開放位置から閉止位置に戻す際、拘束部がその径方向に弾性変形しつつ復帰することで、蓋体が閉止位置に配置されたことを強いクリック感によりユーザに感知させることが可能となる。
【発明の効果】
【００１５】
以上説明したように、本発明の液体容器用キャップおよびこれを備えた液体用容器によれば、いわゆるヒンジキャップ型の液体容器用キャップおよびこれを備えた液体用容器にについて、ノズル部を閉止するための栓部の強度低下を伴うことなく、液体の注出量を抑制することができる。
【図面の簡単な説明】
【００１６】
【図１】本発明に係る液体用容器（本発明に係る液体容器用キャップが適用された液体用容器）を示す正面図である。
【図２】液体用容器の断面図（図１のII−II線断面図）である。
【図３】蓋体を開いた状態の液体容器用キャップの上面図である。
【図４】蓋体を開いた状態の液体容器用キャップの断面図（図３のIV−IV線断面図）である。
【図５】液体容器用キャップの要部断面図であり、（ａ）は蓋体を開いた状態を、（ｂ）は蓋体を閉じた状態をそれぞれ示す断面図である。
【図６】液体注出時の状態を示す液体用容器の側面略図である。
【発明を実施するための形態】
【００１７】
以下、添付図面を参照しながら本発明の好ましい実施の一形態について詳述する。
【００１８】
図１及び図２は、本発明に係る液体用容器を概略的に示しており、図１は正面図で、図２は断面図でそれぞれ液体用容器を示している。
【００１９】
同図に示す液体用容器（以下、単に容器と略す）は、化粧液、具体的には、化粧水を収容するためのものである。この容器は、容器本体１０と、これに装着されるヒンジキャップ１４（本発明に係る液体容器用キャップに相当する）とを備える。
【００２０】
容器本体１０は、化粧水を収容することが可能な硝子製又は合成樹脂製の上向きに開口する上下方向に細長の有底容器であり、底部を備える断面略正方形の本体部１１と、断面円形の口頸部１２と、これら本体部１１と口頸部１２とを繋ぐ段差部（ショルダ部１３という）とを備える。前記口頸部１２の外周面には、前記ヒンジキャップ１４を装着するための雄ねじ１２ａが形成されている。
【００２１】
前記ヒンジキャップ１４は、前記容器本体１０の上端部、すなわち口頸部１２に固定されるキャップ本体１６と、蓋体１８と、この蓋体１８をキャップ本体１６に連結するヒンジ部１７とを有する。
【００２２】
図３及び図４に示すように、キャップ本体１６は、容器本体１０の前記本体部１１の輪郭と同等の輪郭を有しかつ化粧水注出用のノズル部２２を備える天壁部２０と、この天壁部２０の外周に沿って当該天壁部２０から垂下する外壁部２８と、この周壁部２８の内側の位置で前記天壁部２０から垂下する円筒状の内壁部２６（本発明の側壁部に相当する）と、この内壁部２６よりもさらに内側の位置で前記天壁部２０から垂下する円筒状のシール用壁部２４とを備えている。
【００２３】
前記内壁部２６の内周面には雌ねじ２６ａが形成されており、前記キャップ本体１６は、この内壁部２６の内側に前記口頸部１２が螺合挿入されることにより、前記容器本体１０に固定されている。つまり、キャップ本体１６の内壁部２６が容器本体１０（口頸部１２）に外嵌されることによりヒンジキャップ１４が当該容器本体１０に固定されている。なお、前記シール用壁部２４及び内壁部２６は、天壁部２０の中心位置を中心とした同心円上に形成されている。
【００２４】
キャップ本体１６の前記外壁部２８は、図１に示すように、容器本体１０の口頸部１２が内壁部２６に対して特定位置まで螺合挿入されることにより当該容器本体１０の前記ショルダ部１３に当接し、かつ、この当接状態で当該外壁部２８の外側面と容器本体１０の前記本体部１１の外側面とがほぼ面一となるように形成されている。また、前記シール用壁部２４は、容器本体１０の口頸部１２が前記内壁部２６に対して前記特定位置まで螺合挿入されることにより容器本体１０の前記口頸部１２の内側に入り込み、当該シール用壁部２４の外周面と前記口頸部１２の内周面との間をシールするように形成されている。
【００２５】
前記ノズル部２２は、前記シール用壁部２４の内側であって当該シール用壁部２４の中心よりも天壁部２０の一辺側（図３、図４では左側）に偏った位置に備えられている。
【００２６】
このノズル部２２は、図５に示すように、天壁部２０の表面から突出しており、容器本体１０の内外を上下方向に連通する、化粧水導出用の通路３２を有する。
【００２７】
ノズル部２２の前記通路３２は、３つの通路部３３ａ〜３３ｃにより構成されている。具体的には、前記通路３２は、突出部分３０の先端側に開口して化粧水の注ぎ口を形成する第１通路部３３ａと、容器本体１０側に開口して化粧水の導出口を形成する第３通路部３３ｃと、これら第１通路部３３ａと第２通路部３３ｂとの間に位置する第２通路部３３ｂとにより構成されている。
【００２８】
第１通路部３３ａは、蓋体１８に形成される後記栓部４４を内嵌させることが可能な内径を有している。この第１通路部３３ａのうち突出部分３０の先端近傍は、栓部４４を第１通路部３３ａ内に誘い込むために、第２通路部３３ｂの側から外側に向かって内径が漸増するテーパ状に形成されている。また、第２通路部３３ｂは、第３通路部３３ｃ側から第１通路部３３ａ側に向かって内径が漸増し、かつ、その最大径が第１通路部３３ａの内径よりも小さくなるように形成されている。また、第３通路部３３ｃは、第２通路部３３ｂ側から容器本体１０側に向かって内径が漸増し、かつ、最小径が第１通路部３３ａの最大径よりも大きくなるように形成されている。
【００２９】
なお、ノズル部２２の通路３２は、上記の通り第２通路部３３ｂの内径が最も小さく、従って、ノズル部２２からの化粧水の注出量は、この第２通路部３３ｂの内径に応じた量となる。当実施形態では、例えば第２通路部３３ｂの内径（最大径）は略０．３ｍｍ〜１ｍｍとされ、このように第２通路部３３ｂの内径が比較的小さく設定されることにより化粧水の導出量が抑えられ、容器を傾けたときに化粧水が出過ぎることが防止されるようになっている。
【００３０】
ノズル部２２は、その先端部に、他の部分よりも外形寸法が大きい鍔部３６を備えている。この鍔部３６は略円形の輪郭を有する。この鍔部３６は、化粧液の注出時に液切りを行うもの、つまり、化粧液がノズル部２２を伝ってその基端部側へ流れることを防止するためのものである。
【００３１】
前記蓋体１８は、図３及び図４に示すように、全体としてキャップ本体１６（天壁部２０）と同等の輪郭を有しており、略正方形の覆壁部４０とその外周に沿って形成される周壁部４２とを備えている。この蓋体１８は、天壁部２０に重って前記ノズル部２２を覆う閉止位置（図４の二点鎖線（又は図１）に示す位置）と、この位置からキャップ本体１６の側方に展開して前記ノズル部２２を開放する開放位置（図４の実線鎖線に示す位置）とに亘って変位することが可能となるように、ヒンジ部１７を介してキャップ本体１６に対して連結されている。なお、以下の説明では、蓋体１８が閉止位置にある状態を蓋体１８の閉止状態（又は蓋体１８を閉止した状態）とよび、蓋体１８が開放位置にある状態を蓋体１８の開放状態（又は蓋体１８を開放した状態）とよぶ。
【００３２】
前記ヒンジ部１７は、天壁部２０の一辺に沿った軸回りに蓋体１８（周壁部４２）が回動可能となるようにキャップ本体１６と蓋体１８とを連結する一対の第１ヒンジ部１７ａと、これら第１ヒンジ部１７ａの間の位置でキャップ本体１６と蓋体１８とを連結しかつ蓋体１８の付勢する第２ヒンジ部１７ｂとを含む。この第２ヒンジ部１７ｂは、断面Ｌ字型をなし、蓋体１８が閉止位置から開放位置に変位するに伴い弾性変形し、天壁部２０と蓋体１８（周壁部４２）との成す角度が鋭角となる状態ではその弾発力により蓋体１８を前記閉止位置側に付勢する一方で、天壁部２０と蓋体１８（周壁部４２）との成す角度が鈍角となる状態ではその弾発力により蓋体１８を前記開放位置側に付勢する。
【００３３】
前記蓋体１８は、その内天面４０ａ、すなわち覆壁部４０のうち蓋体１８が閉じられた状態で前記天壁部２０に対向する面（本発明における蓋体の対向面に相当する）に、内天面４０ａから略直交する方向にそれぞれ突出する中空軸状の栓部４４及び円筒状の拘束部４６を備えている。
【００３４】
栓部４４は、ノズル部２２の前記通路３２を閉止するものであり、図５（ｂ）に示すように、前記蓋体１８が閉止状態とされることによりノズル部２２の先端から前記通路３２（第１通路部３３ａ）に嵌入されて当該通路３２を閉止する。従って、この栓部４４は、前記第１通路部３３ａ（テーパ部分以外）に内嵌することが可能な軸長及び外径を有する。なお、当実施形態では、栓部４４の必要強度を確保し得る寸法として、栓部４４の軸長は略３ｍｍ〜５ｍｍ、外径は略２ｍｍとされている。
【００３５】
拘束部４６は、栓部４４を保護するとともに蓋体１８をキャップ本体１６に係止するものである。この拘束部４６は、前記栓部４４を中心としてその同心円状に形成されており、その内径は、鍔部３６の外径と略同等に形成されている。つまり、拘束部４６は、蓋体１８が閉止状態とされると、図５（ｂ）に示すように、ノズル部２２の鍔部３６に対して外側から当接し、これにより蓋体１８をキャップ本体１６（ノズル部２２）に対して天壁部２０に沿った方向に拘束する。
【００３６】
なお、この拘束部４６の前記内天面４０ａからの突出寸法は、前記栓部４４の同突出寸法よりも小さい。具体的には、蓋体１８の閉止状態において、拘束部４６の先端がノズル部２２の鍔部３６と天壁部２０との間に位置するように拘束部４６が形成されている。
【００３７】
拘束部４６は、その先端部分の内周面に、互いに対向して内向きに突出する一対の係止部４６ａを備えている。つまり、蓋体１８が閉止状態とされると、図５（ｂ）に示すように、各係止部４６ａが天壁部２０の表面側からノズル部２２の前記鍔部３６に係合し、これにより蓋体１８がノズル部２２（キャップ本体１６）に係止される。
【００３８】
なお、蓋体１８とキャップ本体１６とはその輪郭が略同等であり、蓋体１８の閉止状態では、図１及び図２に示すように、蓋体１８の周壁部４２とキャップ本体１６の外壁部２８が略面一となる。従って、蓋体１８の開操作を容易に行えるように、キャップ本体１６の外壁部２８のうち、ヒンジ部１７と反対側の位置には、同図及び図３、図４に示すように、指掛け用の凹み部２９が形成されている。
【００３９】
上記容器は、化粧水を使用する際には、前記蓋体１８を開けて容器全体を傾け、これによりノズル部２２から化粧水を注出し、使用後は、蓋体１８を閉止状態に戻してノズル部２２を栓部４４で閉止しておくものであるが、上記のような構成を有するため、次のような作用効果を奏する。
【００４０】
まず、この容器によれば、ヒンジキャップ１４のノズル部２２の通路３２が、蓋体１８の栓部４４が嵌入する第１通路部３３ａと、これよりも奥側に位置し当該第１通路部３３ａよりも内径の小さい第２通路部３３ｂとを含んでおり、上記の通り、化粧水の導出量が所定量に抑えられるように第２通路部３３ｂの内径（略０．３ｍｍ〜１ｍｍ）が設定された上で、この第２通路部３３ｂの内径よりも大きな外径寸法（略２ｍｍ）をもつ栓部４４が第１通路部３３ａに嵌入されてノズル部２２が閉止されるようになっている。従って、この容器によれば、当該容器を傾けたときに化粧水が出過ぎることを防止することができる一方で、蓋体１８の栓部４４の必要径を確保してその強度を保つことができる。換言すれば、ノズル部２２のを閉止するための栓部４４の強度低下を伴うことなく、化粧水の注出量を抑制することができる。
【００４１】
また、この容器によれば、ノズル部２２の先端に鍔部３６が設けられているため、化粧水を注出する際に容器を傾けると、図６に示すように、鍔部３６に沿って化粧水が流下し、これにより化粧水が鍔部３６の位置よりも基端部側（天壁部２０の表面側）に流動することが阻止される。つまり、ノズル部２２の先端で良好に液切りが行われる。従って、ノズル部２２から注出される化粧水が当該ノズル部２２を伝ってキャップ本体１６や容器本体１０を汚すことを、防止することができる。
【００４２】
また、この容器によれば、蓋体１８が栓部４４を囲む位置に拘束部４６を備え、蓋体１８が閉止された状態では、この拘束部４６がノズル部２２の鍔部３６に対して外側から当接し、前記天壁部２０に沿った方向の蓋体１８とノズル部２２（キャップ本体１６）との相対変位が阻止されるので、蓋体１８に外力（天壁部２０に沿った方向の外力）が作用した場合でも、前記栓部４４に剪断力が作用することが抑制される。そのため、当該剪断力により栓部４４が変形し、あるいは切断されることを有効に防止することができる。
【００４３】
また、拘束部４６の内側に係止部４６ａが形成されており、蓋体１８が閉止された状態では、この係止部４６ａが前記鍔部３６に係合することにより、蓋体１８がノズル部２２を介してキャップ本体１６に係止される。そのため、蓋体１８の閉止状態を安定的に保持することができる。しかも、蓋体１８を閉止するときには、係止部４６ａが鍔部３６の位置を通過する際に拘束部４６が径方向外側に弾性変形し、蓋体１８が閉止位置に達して係止部４６ａが鍔部３６の位置を超えると拘束部４６が弾性復帰するため、ユーザは、蓋体１８が完全な閉止状態となったことを強いクリック感により感知することができる。従って、蓋体１８が不完全な閉止状態のまま放置されることを防止することが可能となる。
【００４４】
なお、上述した容器は、本発明に係る液体用容器（本発明に係る液体容器用キャップが適用された液体用容器）の好ましい実施形態の一例であって、その具体的な構成は本発明の要旨を逸脱しない範囲で適宜変更可能である。
【００４５】
例えば、上記実施形態のヒンジキャップ１４では、ノズル部２２は、その先端に液切り用の鍔部３６を備えているが、この鍔部３６の位置は、必ずしもノズル部２２の先端である必要はなく、ノズル部２２の途中部分であってもよい。
【００４６】
また、上記実施形態のヒンジキャップ１４では、蓋体１８の拘束部４６に係止部４６ａが形成され、当該拘束部４６がノズル部２２に係止される構成であるが、係止部４６ａを省略し、拘束部４６をノズル部２２（鍔部３６）に外嵌させるだけの構成としてもよい。また、栓部４４について比較的大きな外径寸法を確保できるような場合には、前記拘束部４６を省略するようにしてもよい。また、栓部４４については、栓部の基端部を肉厚にする、若しくはリブ等の補強部を設ける等適宜補強をしてもよい。
【００４７】
また、上記実施形態の容器は、断面の輪郭が略正方形でかつ容器本体１０の側面とヒンジキャップ１４の側面が略面一となる、全体として角柱状の形状を有するが、容器の形状はこれに限定されるものではない。例えば、容器の形状は全体として円柱状をなすものであってもよい。また、容器本体１０およびヒンジキャップ１４は、それらの側面同士が面一ある必要はなく、これら容器本体１０及びヒンジキャップ１４の形状も種々の形状が採用可能である。
【００４８】
また、上記実施形態では、容器の内容物として化粧水の場合について説明したが、この容器は、特に粘度が低い液体の収容に適していることから、化粧水以外の化粧液の容器としても使用可能である。勿論、化粧液に限らず、薬液用の容器としても使用可能である。
【符号の説明】
【００４９】
１０  容器本体
１４  ヒンジキャップ
１６  キャップ本体
１８  蓋体
２０  天壁部
２２  ノズル部
３２  通路
３３ａ  第１通路部
３３ｂ  第２通路部
３３ｃ  第３通路部
３６  鍔部
４４  栓部
【図１】
2012188128.tif 000003
【図２】
2012188128.tif 000004
【図３】
2012188128.tif 000005
【図４】
2012188128.tif 000006
【図５】
2012188128.tif 000007
【図６】
2012188128.tif 000008